(57)【要約】      （修正有）【課題】商品への取付けの自由度が大きく、それだけ使い易い商品盗難検出器及びそれを利用した商品盗難監視装置を提供する。【解決手段】検出器は検出器本体を含み、検出器本体は、基板本体とこれに連設された舌片とを含む可撓性フィルム基板と、基板本体及び舌片双方の下面にわたる連続プリント配線と、通電コードが接続された舌片接続用コネクタを有するコネクタ保持部とを含んでおり、コネクタ保持部は、コネクタに舌片自由端部が接続され、それによりプリント配線が該コネクタを介して通電コードに接続された状態で基板本体上面に部分的に接着されている。商品盗難監視装置本体は、監視対象商品への検出器取付け状態異常の情報を検出器から把握すると予め定めた異常報知動作を行う。【選択図】図１
2011022719.tif 000002
【特許請求の範囲】
【請求項１】
監視対象商品に付設して該商品の盗難検出を行うための商品盗難検出器であり、
検出器本体と、該検出器本体を商品盗難監視装置本体へ接続するための通電コードとを含んでおり、検出器本体は、
基板本体と該基板本体に一体的に連設されて片持ち支持された舌片とを含む可撓性フィルム基板と、
前記基板本体下面と前記舌片下面にわたり形成され、舌片自由端部の第１部位から始まり、舌片に沿って基板本体へ向かい、基板本体においてループを描いた後再び舌片に沿って舌片自由端部の第２部位へ至る連続配線と、
該配線のうち基板本体に形成されている部分を覆って基板本体に付着された、検出器本体を監視対象商品に貼着取付けするための両面接着剤層と、
前記通電コードが接続された舌片接続用コネクタを有するコネクタ保持部とを含んでおり、
該コネクタ保持部は、前記舌片接続用コネクタに前記舌片自由端部の前記第１及び第２の部位が接続されることで該第１及び第２の部位上の配線両端部が該コネクタを介して前記通電コードに電気的に接続された状態で前記基板本体の上面に部分的に接着されており、
前記商品盗難監視装置本体は、前記検出器本体が監視対象商品に正常に取り付けられるとともに該検出器本体が前記通電コードにより自身に正常に接続された検出器正常取付け状態ではない検出器取付け状態異常が発生すると、該異常を把握して予め定めた異常報知動作を行うものであることを特徴とする商品盗難検出器。
【請求項２】
前記配線の前記舌片下面上に形成されている部分のうち、該舌片の片持ち支持端部から前記コネクタに至るまでの部分が電気絶縁性フィルムで覆われている請求項１記載の商品盗難検出器。
【請求項３】
前記コネクタは、前記舌片自由端部を差し込むことで該舌片自由端部の前記第１及び第２の部位上の配線両端部が前記通電コードに電気的に接続されるコネクタであり、
前記可撓性フィルム基板は、前記舌片の前記コネクタへの差し込み接続方向に長い長方形状を呈しており、前記コネクタ保持部は、該舌片のコネクタへの差し込み方向においてコネクタよりも前方又は後方で前記基板本体上面に接着されている請求項１又は２記載の商品盗難検出器。
【請求項４】
前記検出器本体は、該検出器本体の監視対象商品への取付け状態異常において前記商品盗難監視装置本体の指示に基づいて警報動作する警報器を備えている請求項１、２又は３記載の商品盗難検出器。
【請求項５】
請求項１から４のいずれか一項に記載の商品盗難検出器を少なくとも一つと、
該商品盗難検出器が接続される商品盗難監視装置本体とを含んでおり、
該商品盗難監視装置本体は、自身に接続された商品盗難検出器のうち少なくとも一つにおいて、該検出器の検出器本体が監視対象商品に正常に取り付けられるとともに該検出器本体が前記通電コードにより自身に正常に接続された検出器正常取付け状態ではない検出器取付け状態異常が発生すると、該異常を把握して予め定めた異常報知動作を行うものであることを特徴とする商品盗難監視装置。
【発明の詳細な説明】
【技術分野】
【０００１】
本発明は、商品の盗難を防止、抑止するための商品盗難監視装置のための、監視対象商品に取り付けられる商品盗難検出器及び商品盗難監視装置に関する。
【背景技術】
【０００２】
店頭に陳列などされる商品の盗難を防止、抑止するための商品盗難監視装置は種々のものが提案されている。その中に、監視対象商品に付設される商品盗難検出器と、これが接続される商品盗難監視装置本体とを含むものがある。商品盗難監視装置本体には通常、警報装置が含まれている。
【０００３】
商品盗難検出器は、該検出器が商品に正常に取り付けられているか否かを検出するための検出器本体と該本体を商品盗難監視装置本体へ接続する通電コードを含んでいる。前記警報装置は、検出器が商品に正常に取り付けられていないことを示す情報に基づき警報を発する。
【０００４】
商品盗難検出器として、開閉接点を有するスイッチと、押し込み可能に突出方向へバネ付勢された可動子とを含む検出器本体を備えたものが知られている。該スイッチは検出器本体が商品に正しく取り付けられている状態では可動子が押し込まれることで閉じ、検出器本体が商品から外されると可動子の押し込みが解除されることで開くスイッチである。  
【０００５】
このような商品盗難検出器では、該検出器本体の開閉接点を有するスイッチとしてマイクロスイッチのようなスイッチが用いられている。
【０００６】
このタイプの商品盗難検出器及び該検出器を用いる商品盗難監視装置は例えば特許第３７０６８２０号公報に記載されている。
同公報の従来技術の説明中には、開閉接点を有するスイッチと、押し込み可能に突出方向へバネ付勢された可動子とを含む検出器本体が両面接着テープを用いて商品に取り付けられる検出器が記載されている。
【０００７】
同公報には、さらに、商品に設けられている螺子（例えばカメラの三脚取付け用螺子）に検出器本体に設けた螺子を螺合させることで商品に取付け可能の検出器本体を含む商品盗難検出器が記載されている。
【０００８】
後者の螺子を利用した商品盗難検出器は特許第４０４８２２１号公報にも記載されている。特許第４０４８２２１号公報に記載された検出器では、検出器本体のスイッチとしてタクトスイッチが使用されている。
【先行技術文献】
【特許文献】
【０００９】
【特許文献１】特許第３７０６８２０号公報
【特許文献２】特許第４０４８２２１号公報
【発明の概要】
【発明が解決しようとする課題】
【００１０】
しかしながら、上記した従来の商品盗難検出器のうち両面接着テープ等により検出器本体の取付けを行うタイプのものでは、商品の平坦面部分に貼着することができるが、今日の多種多様な商品に対応して、商品の曲面部分に検出器本体を取り付けたいときには、それが極めて困難或いは不可能となる場合がある。
【００１１】
上記した従来の商品盗難検出器のうち、螺子を利用して商品に取り付けるタイプのものでは、商品側に螺子がなければならず、また、螺子があっても、その螺子の部分にしか取付けできないので検出器本体の取付けの自由度が制限される。
【００１２】
そこで本発明は、監視対象商品に付設して該商品の盗難検出を行うための商品盗難検出器であり、該検出器の商品上の取付け部分として、商品の平坦面部分は勿論のこと、曲面部分も選択範囲に入れることができ、従来の同種の検出器と比べると商品への取付けの自由度が大きく、それだけ使い易い商品盗難検出器を提供することを第１の課題とする。
【００１３】
また本発明は、監視対象商品に付設される商品盗難検出器と、該検出器が接続される商品盗難監視装置本体とを含む商品盗難監視装置であって、少なくとも一つの商品盗難検出器は、該検出器の商品上の取付け部分として、商品の平坦面部分は勿論のこと曲面部分も選択範囲に入れることができ、従来の同種の検出器と比べると商品への取付けの自由度が大きく、従って、監視装置全体としてもそれだけ使い易い商品盗難監視装置を提供することを第２の課題とする。
【課題を解決するための手段】
【００１４】
本発明は前記課題を解決するため、次の商品盗難検出器及び商品盗難監視装置を提供する。
【００１５】
（１）商品盗難検出器
監視対象商品に付設して該商品の盗難検出を行うための商品盗難検出器であり、
検出器本体と、該検出器本体を商品盗難監視装置本体へ接続するための通電コードとを含んでおり、検出器本体は、
基板本体と該基板本体に一体的に連設されて片持ち支持された舌片とを含む可撓性フィルム基板と、
前記基板本体下面と前記舌片下面にわたり形成され、舌片自由端部の第１部位から始まり、舌片に沿って基板本体へ向かい、基板本体においてループを描いた後再び舌片に沿って舌片自由端部の第２部位へ至る連続配線と、
該配線のうち基板本体に形成されている部分を覆って基板本体に付着された、検出器本体を監視対象商品に貼着取付けするための両面接着剤層と、
前記通電コードが接続された舌片接続用コネクタを有するコネクタ保持部とを含んでおり、
該コネクタ保持部は、前記舌片接続用コネクタに前記舌片自由端部の前記第１及び第２の部位が接続されることで該第１及び第２の部位上の配線両端部が該コネクタを介して前記通電コードに電気的に接続された状態で前記基板本体の上面に部分的に接着されており、
前記商品盗難監視装置本体は、前記検出器本体が監視対象商品に正常に取り付けられるとともに該検出器本体が前記通電コードにより自身に正常に接続された検出器正常取付け状態ではない検出器取付け状態異常が発生すると、該異常を把握して予め定めた異常報知動作を行うものである商品盗難検出器。
【００１６】
（２）商品盗難監視装置
本発明に係る商品盗難検出器を少なくとも一つと、
該商品盗難検出器が接続される商品盗難監視装置本体とを含んでおり、
該商品盗難監視装置本体は、自身に接続された商品盗難検出器のうち少なくとも一つにおいて、該検出器の検出器本体が監視対象商品に正常に取り付けられるとともに該検出器本体が前記通電コードにより自身に正常に接続された検出器正常取付け状態ではない検出器取付け状態異常が発生すると、該異常を把握して予め定めた異常報知動作を行うものである商品盗難監視装置。
【００１７】
本発明に係る商品盗難検出器及び商品盗難監視装置によると、商品盗難検出器の検出器本体を構成している可撓性フィルム基板の基板本体及び舌片にわたる配線を覆っている両面接着剤層で基板本体を監視対象商品の所望部位に貼着するとともに検出器本体を通電コードにて商品盗難監視装置本体へ接続して用いることができる。
【００１８】
このように可撓性フィルム基板の基板本体が両面接着剤層で商品の所望部位に貼着された状態では、前記舌片が基板本体の上面に接着されたコネクタ保持部における舌片接続用コネクタに接続されており、舌片自由端部の第１、第２の部位にそれぞれ位置する配線の一端部及び他端部が該コネクタを介して通電コードに電気的に接続されている。このように商品盗難検出器の検出器本体を正常に監視対象商品に取り付けることができる。
【００１９】
従ってまた、通電コードを商品盗難監視装置本体に接続することで、検出器本体の配線全体が該コネクタを介して通電コードに、さらに該通電コードを介して商品盗難監視装置本体へ接続される正常な状態が得られる。
【００２０】
このように、普通には、商品盗難検出器本体が監視対象商品に正常に取り付けられるとともに該検出器本体が通電コードにより商品盗難監視装置本体に正常に接続された検出器正常取付け状態が得られるのであるが、例えばつぎのような事態では検出器取付け状態は異常となる。
【００２１】
(1) 検出器本体の基板本体を商品に接着している接着剤層に抗して基板本体が商品から引き剥がされ、或いは引き剥がされようとして、基板本体下面に形成されていた配線の少なくとも何処かが分断され、配線の連続性が失われる。
(2) コネクタ保持部が無理やり基板本体から引き剥がされ、或いは引き剥がされようとして、舌片がコネクタから抜けてしまったり、舌片上の配線部分が分断されたりして、配線が該コネクタに接続された通電コードから分離する結果となる。
(3) 舌片が切断される。
(4) 通電コードが切断される、又は通電コードが商品盗難監視装置本体から外される。
【００２２】
商品盗難監視装置本体は、このような商品盗難検出器の取付け状態異常を把握して予め定められた異常報知動作を実行する。
かくして、上記のような異常事態を発生させる人物により監視対象商品が万引きされたり、盗まれたりしたことを、或いは万引きされようとしたり、盗まれようとしていることを知ることができる。
【００２３】
本発明に係る商品盗難検出器では、検出器本体を構成しているフィルム基板は可撓性のスィルム基板である。従って、該フィルム基板における基板本体も可撓性を有している。さらに、コネクタ保持部は該基板本体上面に接着されているものの、該上面に全面的に接着されているのではなく部分的に接着されている。換言すれば、基板本体のコネクタ保持部が接着された部分を除いた部分では可撓性が維持され、撓めることができる状態である。
【００２４】
従って、検出器本体を監視対象商品に取り付けるべく、基板本体をその下面側の接着剤層にて商品へ貼着するとき、貼着対象部分として、商品の平坦面部分は勿論のこと、曲面部分も選択範囲にいれることができる。それ故、商品盗難検出器は、それだけ商品への取付けの自由度が大きく、それだけ使い易い。ひいては、かかる商品盗難検出器を採用する本発明に係る商品盗難監視装置は、装置全体としてそれだけ使い易いものとなる。
【００２５】
また、本発明に係る商品盗難検出器は、従来のように開閉スイッチを搭載したものではないので、小型化、軽量化でき、展示される商品へ取り付けたとき、見苦しさがそれだけ減じられるとともに顧客が該商品を手にとって見やすい、という利点もある。
【００２６】
本発明に係る商品盗難検出器においては、前記配線の前記舌片下面上に形成されている部分のうち、該舌片の片持ち支持端部から前記コネクタに至るまでの部分を電気絶縁性フィルムで覆っておいてもよい。
【００２７】
前記コネクタとしては、小型、軽量のものとして、前記舌片自由端部を差し込むことで該舌片自由端部の前記第１及び第２の部位上の配線両端部が前記通電コードに電気的に接続されるコネクタを例示できる。
【００２８】
このタイプのコネクタを採用する場合、前記可撓性フィルム基板を、前記舌片の前記コネクタへの差し込み接続方向に長い長方形状を呈するものとし、前記コネクタ保持部は、該舌片のコネクタへの差し込み方向においてコネクタよりも前方又は後方で前記基板本体上面に接着してもよい。
【００２９】
このようにすると、基板本体をその長手方向を利用して撓ませやすく、商品の検出器貼着対象面が湾曲面のとき、その面に基板本体を貼着し易い。
【００３０】
本発明に係る商品盗難検出器はその検出器本体に、該検出器本体の監視対象商品への取付け状態異常において前記商品盗難監視装置本体の指示に基づいて警報動作する警報器を備えていてもよい。
【００３１】
そのような警報器は、音による警報を発するブザー、光による警報を発するランプ等による様々の警報器を採用できるが、検出器の小型化、軽量化を図うえで、代表例として発光ダイオードを挙げることができる。
【００３２】
前記の商品盗難監視装置本体は、自身に接続された商品盗難検出器の検出器本体の監視対象商品に対する取付け状態の異常を把握して予め定めた異常報知を行うものであるが、かかる異常報知の手段として、例えば、音、光、振動、これらのうち２異常の組み合わせを利用した警報器を挙げることができる。また、商品盗難監視装置本体は検出器の取付け状態異常を記録するための情報を発信したり、記録する部分等を含むこともできる。
【発明の効果】
【００３３】
以上説明したように本発明によると、監視対象商品に付設して該商品の盗難検出を行うための商品盗難検出器であり、該検出器の商品上の取付け部分として、商品の平坦面部分は勿論のこと、曲面部分も選択範囲に入れることができ、従来の同種の検出器と比べると商品への取付けの自由度が大きく、それだけ使い易い商品盗難検出器を提供することができる。
【００３４】
また本発明によると、監視対象商品に付設される商品盗難検出器と、該検出器が接続される商品盗難監視装置本体とを含む商品盗難監視装置であって、少なくとも一つの商品盗難検出器は、該検出器の商品上の取付け部分として、商品の平坦面部分は勿論のこと曲面部分も選択範囲に入れることができ、従来の同種の検出器と比べると商品への取付けの自由度が大きく、従って、監視装置全体としてもそれだけ使い易い商品盗難監視装置を提供することができる。
【図面の簡単な説明】
【００３５】
【図１】本発明に係る商品盗難監視装置の１例の使用状態例を示す図である。
【図２】図１の盗難監視装置における、本発明に係る商品盗難検出器の１例の側面図である。
【図３】図２に示す検出器の平面図である。
【図４】検出器本体の可撓性フィルム基板に配線を形成する手順を示す図である。
【図５】図４の（Ｃ）に示されるフィルム基板を上面側からみた図である。
【図６】フィルム基板の舌片をコネクタ保持部に差し込み接続する直前の状態の側面図である。
【図７】図１に示す商品盗難監視装置の回路の一部を示す図である。
【発明を実施するための形態】
【００３６】
以下、本発明の実施の形態を図面を参照して説明する。
図１に、本発明に係る商品盗難監視装置例の使用状態例を示す。
【００３７】
図１に示す商品盗難監視装置１００は、商品盗難監視装置本体Ｘと、これに接続される複数の商品盗難検出器Ｙとからなっている。
【００３８】
図２は商品盗難検出器Ｙの側面図であり、図３は同検出器Ｙの平面図である。
各商品盗難検出器Ｙは、検出器本体１と、本体１を監視装置本体Ｘのコネクタ部ｃに接続する通電コード２とを含んでいる。
【００３９】
図１に示す例では、監視対象商品は照明灯Ｇ１、フアンＧ２及び時計Ｇ３である。      照明灯Ｇ１では外周面に検出器本体１が貼着されている。
ファンＧ２は正面及び背面に通気孔が形成されているので、凹湾曲を呈している上面に検出器本体１が貼着されている。                                                    時計Ｇ３は全体が球形状のもので、その外曲面の一部に検出器本体１が貼着されている。
【００４０】
商品盗難監視装置１００による監視対象商品はこれらに限られるものではない。
検出器本体１は商品の平坦面部分にも貼着可能である。
監視対象可能商品の数は図示のような３個に限定されるのもではない。図１に示す監視装置本体は１０個の通電コード接続用のコネクタ部分ｃを備えているので、監視対象商品を１０個まで増やせる。
【００４１】
図１に示す監視装置本体Ｘの天井壁に設けられているＢｚはブザーであり、Ｌｔは報知ライトであり、これらは、監視対象商品への後述する検知器取付け異常を報知する警報装置ＷＡを構成している。
【００４２】
図２及び図３に示すように、検出器本体１は、可撓性フィルム基板１１及びコネクタ保持部１２を含んでいる。
可撓性フィルム基板１１は、基板本体１１１と該本体に一体的に連設されて片持ち支持された舌片１１２とを含んでいる。基板１１は長方形状を呈している。舌片１１２は、基板１１の中央部を舌片１１２の外輪郭に沿って、舌片の片持ち支持端１１２’を残して切断して形成されている。
舌片１１２は、これを撓めて自由端部１１２ｆを基板本体１１１上方へ持ち上げることができる。
【００４３】
図３に示すように、基板本体１１１の下面と舌片１１２の下面にわたり連続して配線Ｌが形成されている。図４は配線Ｌを設ける手順を示している。先ず図４（Ａ）に示すように、基板本体１１１の下面に予め下地インキｉｋを塗布し、そのインキ膜の上から配線Ｌが導電性ペーストの塗布にて形成されている。下地インキｉｋは、基板本体１１１における、舌片１１２を取り囲む矩形域１１１ａを残して基板本体１１１下面に塗布されている。
【００４４】
配線Ｌは、図４（Ａ）に示すように、舌片自由端部１１２ｆの第１部位ｆ１から始まり、舌片１１２に沿って基板本体１１１へ向かい、基板本体１１１において該本体外周に沿って一周するかのようにループを描いた後再び舌片１１２に沿って舌片自由端部１１２ｆの第２部位ｆ２へ至っている。
【００４５】
図４（Ｂ）に示すように、配線Ｌのうち舌片１１２上に形成された部分は導電性膜Ｆ１で被覆されている。さらに、図４（Ｃ）に示すように、配線Ｌのうち舌片１１２上に形成された部分のうち、舌片の片持ち支持端部１１２’辺りから自由端部１１２ｆに至るまでの部分が前記導電性膜Ｆ１を介して電気絶縁性膜Ｆ２で被覆されている。
【００４６】
図４には示していないが、図２に示すように、配線Ｌのうち基板本体１１１に形成されている部分を覆って、基板本体１１１の、舌片１１２を囲む前記中央域１１１ａを除く部分に全面的に両面接着剤層Ｆ３が設けられている。検出器Ｙが未使用状態では、接着剤層Ｆ３に剥離シートＳ１が被せられている。
【００４７】
本例における以上説明したフィルム基板１１等の材質等は以下のとおりである。
可撓性フィルム基板１１：ポリエチレンテレフタレート（東レ  Ｘ３０）
下地インキｉｋ：帝国インキ製  インキＶＧ／１３
配線Ｌ：銀ペースト（アサヒ化学研究所  ＬＳ−４１５Ｍ−Ｃ）
導電性膜Ｆ１：カーボンペースト（十条ケミカル  ＣＨ−１０）
絶縁性膜Ｆ２：レジスト膜（十条ケミカル  ＩＮ１０Ｃ）
両面接着剤層Ｆ３：両面接着テープ（コニシ  ＷＦ７７３）
【００４８】
図５は図４（Ｃ）に示す、下面に配線Ｌを形成したフィルム基板１１を上側から見た図である。図５に示すように、基板本体１１１上面の、舌片自由端部１１２ｆのさらに前方域に両面接着剤層Ｆ４（本例では両面接着テープ（日本ポリマー  １２−５４１））が設けられている。
【００４９】
前記コネクタ保持部１２には、通電コード２が接続された舌片接続用コネクタ１２１を搭載してある。コネクタ保持部１２には警報器として発光ダイオードＬＥＤ（ＬＥＤ１、ＬＥＤ２又はＬＥＤ３）も搭載してある。
【００５０】
図６に示すように、コネクコ保持部１２を、舌片１１２及び両面接着剤層Ｆ４の上方からそれらに近づけて舌片１１２の自由端部１１２ｆをコネクタ１２１の差し込み口１２１’へ差し込み接続するとともに保持部１２を接着剤層Ｆ４にて基板本体１１１上面に接着することで、図２に示す商品盗難検出器Ｙが形成されている。
【００５１】
図７は商品盗難監視装置１００の回路の一部を示す図である。
図７に示すとおり、各検出器Ｙの通電コード２は３本のラインからなっている。そのうち２本のライン（端子２１、２２を有するライン）が前記コネクタ保持部１２に搭載されたコネクタ１２１を介してフィルム基板１１上の連続配線Ｌの両端と通電可能状態にある。発光ダイオードＬＥＤ（ＬＥＤ１、ＬＥＤ２又はＬＥＤ３）には共通ライン（端子２２を有するライン）と残りのライン（端子２３を有するライン）が接続されている。
【００５２】
各検出器Ｙの通電コード２はその自由端部のコネクタピン２１０を、図１に示すように監視装置本体Ｘのピンコネクタ部ｃに差し込むことで、監視装置本体中回路に接続される。図７でも、各検出器Ｙの通電コード２のピン２１０が監視装置本体Ｘのコネクタ部ｃに差し込み接続されている状態が示されている。
通電コード２のコネクタピン２１０は３端子（２１、２２、２３）を有している。監視装置本体Ｘのコネクタ部ｃは４端子有している。ピン２１０の端子のうち発光ダイオードからくるラインの端子２３はコネクタ部ｃの、抵抗Ｒ３につながる端子とＴｒ３につながる端子とに接続可能である。ピン２１０をコネクタ部ｃから抜くと、コネクタ部ｃの各端子は開放される。
図７の回路動作については後述する。
【００５３】
以上説明した商品盗難検出器Ｙ及び商品盗難監視装置１００によると、商品盗難検出器Ｙの検出器本体１を構成している可撓性フィルム基板１１の基板本体１１１及び舌片１１２にわたる配線Ｌを覆っている両面接着剤層Ｆ３で基板本体１１１を図１に例示するように監視対象商品（Ｇ１、Ｇ２、Ｇ３等）の所望部位に貼着するとともに検出器本体１を通電コード２にて商品盗難監視装置本体Ｘへ接続して用いることができる。
【００５４】
このように可撓性フィルム基板本体１１１が両面接着剤層Ｆ３で商品の所望部位に貼着された状態では、舌片１１２が基板本体１１１上面に接着されたコネクタ保持部１２における舌片接続用コネクタ１２１に接続されており、舌片自由端部の第１、第２の部位にそれぞれ位置する配線Ｌの一端部及び他端部がコネクタ１２１を介して通電コード２に電気的に接続されている。このように商品盗難検出器Ｙの検出器本体１を正常に監視対象商品に取り付けることができる。
【００５５】
従ってまた、通電コード２を商品盗難監視装置本体Ｘに接続することで、検出器本体１の配線Ｌの全体がコネクタ１２１を介して通電コード２に、さらに該通電コード２を介して商品盗難監視装置本体Ｘへ接続される正常な状態が得られる。
【００５６】
このように、普通には、商品盗難検出器本体１が監視対象商品に正常に取り付けられるとともに検出器本体１が通電コード２により商品盗難監視装置本体Ｘに正常に接続された検出器正常取付け状態が得られるのであるが、例えばつぎのような事態では検出器取付け状態は異常となる。
【００５７】
(1) 検出器本体１の基板本体１１１を商品に接着している接着剤層Ｆ３に抗して基板本体１１１が商品から引き剥がされ、或いは引き剥がされようとして、基板本体下面に形成されていた配線Ｌの少なくとも何処かが分断され、配線Ｌの連続性が失われる。
(2) コネクタ保持部１２が無理やり基板本体１１１から引き剥がされ、或いは引き剥がされようとして、舌片１１２がコネクタ１２１から抜けてしまったり、舌片１１２上の配線部分が分断されたりして、配線Ｌがコネクタ１２１に接続された通電コード２から分離する結果となる。
(3) 舌片１１２が切断される。
(4) 通電コード２が切断される、又は通電コード２が商品盗難監視装置本体Ｘから外される。
【００５８】
なお、基板本体１１１を商品に接着している接着剤層Ｆ３に抗して基板本体１１１が商品から引き剥がされ、或いは引き剥がされようとすると、基板本体下面に形成されていた配線Ｌの少なくとも何処かが分断されるように、配線Ｌ及び接着剤層Ｆ３等が形成されている。
【００５９】
商品盗難監視装置本体Ｘは、このような商品盗難検出器Ｙの取付け状態異常を把握して予め定められた異常報知動作を実行する。
かくして、上記のような異常事態を発生させる人物により監視対象商品が万引きされたり、盗まれたことを、或いは万引きされようとしたり、盗まれようとしていることを知ることができる。
【００６０】
次に、監視装置本体Ｘが検出器Ｙの監視対象商品への取付け状態の異常の情報を検出器Ｙから把握すると実行する報知動作等について図７の回路図を参照して説明する。
【００６１】
図７において、ＰＷは電源、Ｃｏｎｔは全体の制御を行うコントローラ、ＷＡは前記の警報装置、Ｔｒ１はＰＮＰ型トランジスタ、Ｔｒ２〜Ｔｒ７はいずれもＮＰＮ型トランジスタ、Ｒ１及びＲ２はそれぞれ抵抗である。
【００６２】
図７において各商品盗難検出器Ｙとそれが関係する監視装置本体Ｘ中の回路部分の動作はいずれも同じであるから、ここでは、一番左側の商品盗難検出器Ｙとそれに関係する監視装置本体Ｘ中の回路部分ＣＬについて説明し、他の部分の説明は省略する。
【００６３】
ＰＮＰ型トランジスタＴｒ１とＮＰＮ型トランジスタＴｒ２〜Ｔｒ７ではベースＢに入る信号の極性により動作が逆になる。ＰＮＰ型のＴｒ１ではベースＢに負の信号が入ったときのみオン状態になり、ＮＰＮ型トランジスタＴｒ２〜Ｔｒ７ではベースＢに正の信号が入ったときのみオン状態になる。
【００６４】
検出器Ｙが商品及び監視装置本体Ｘに対して正常取付け状態にあるときは、検出器Ｙにおける配線Ｌは連続して通電コード２につながっており、コード２も切断されたり、抜かれたりしていない。
【００６５】
この状態でコントローラＣｏｎｔから予め定められた一定周期で正負が切り替わる制御パルスが出力される。コントローラＣｏｎｔからＴｒ１のベースに正のパルス、Ｔｒ２のベースに正のパルス、Ｔｒ３のベースに負のパルスが入力されるとき、Ｔｒ１、Ｔｒ３はオフになり、Ｔｒ２はオンになる。
【００６６】
このとき、ＬＥＤ１はオフで、点灯しておらず、回路部分ＣＬ中に符号ａ、ｂで示す部位の電位が、それぞれコントローラＣｏｎｔに検出される。コントローラＣｏｎｔに検出される電位が予め定めた範囲内の電位であれば、既述の正常な状態である。
【００６７】
しかし、何人かが既述の異常な状態を引き起こすと、前記回路部分ＣＬ中に符号ａ、ｂで示す部位の電位が前記予め定めた範囲外の電位となり、これがコントローラＣｏｎｔに検出され、コントローラＣｏｎｔは、警報装置ＷＡに異常を報知させる。
【００６８】
また、このとき、コントローラＣｏｎｔから、一定周期で正負が切り替わる制御パルスが出力されており、Ｔｒ１、Ｔｒ２のベースに負のパルスが、Ｔｒ３のベースに正のパルスがそれぞれ入力されるとき、Ｔｒ１、Ｔｒ３がオンになり、Ｔｒ２はオフになり、発光ダイオードＬＥＤ１の回路に電流が流れてＬＥＤ１が点滅し（但し、コード２が本体Ｘから外されたり、切断されたりしていない場合）、これにより異常な状態にある検出器Ｙを報知させる。
【００６９】
このようにして、監視装置本体Ｘに接続された検出器Ｙのうちいずれかにおいて万引き等による異常が発生すると、これを検知することができ、商品盗難監視を行える。
なお、監視装置本体Ｘの使用していないコネクタ部ｃについては、コントローラＣｏｎｔがＴｒ１、Ｔｒ３に正のパルスを、Ｔｒ２に負のパルスを入力し、Ｔｒ１、Ｔｒ２をオフ、Ｔｒ３をオンにするとき、回路部分ＣＬ中の符号ｂで示す部分の電位が予め定めた範囲内にあれば、そのコネクタ部ｃを使用していないものとみなし、商品盗難監視動作より除外する。
【００７０】
以上説明した商品盗難検出器Ｙにおける基板１１は可撓性のフィルム基板である。従って、フィルム基板１１における基板本体１１１も可撓性を有している。さらに、コネクタ保持部１２は基板本体上面に接着剤層Ｆ４で接着されているものの、該上面に全面的に接着されているのではなく部分的に接着されている。換言すれば、基板本体１１１のコネクタ保持部１２が接着された部分を除いた部分では可撓性が維持され、撓めることができる状態である。
【００７１】
従って、検出器本体１を監視対象商品に取り付けるべく、基板本体１１１をその下面側の接着剤層Ｆ３にて商品へ貼着するとき、商品の平坦面部分は勿論のこと、曲面部分も選択範囲にいれることができる（図１参照）。それ故、商品盗難検出器Ｙは、それだけ商品への取付けの自由度が大きく、それだけ使い易い。ひいては、かかる商品盗難検出器Ｙを採用する商品盗難監視装置１００は、装置全体としてそれだけ使い易い。
【００７２】
また、商品盗難検出器Ｙは、従来のように開閉スイッチを搭載したものではないので、小型化、軽量化でき、展示される商品へ取り付けたとき、見苦しさがそれだけ減じられるとともに顧客が該商品を手にとって見やすい、という利点もある。
【産業上の利用可能性】
【００７３】
本発明は、商品への取付けの自由度が大きく、それだけ使い易い商品盗難検出器及びそれを利用した商品盗難監視装置を提供することに利用できる。
【符号の説明】
【００７４】
１００  商品盗難監視装置
Ｘ  商品盗難監視装置本体
ｃ  通電コード接続用コネクタ部
ＷＡ  警報装置
Ｂｚ  ブザー
Ｌｔ  ライト
Ｙ  商品盗難検出器
１  検出器本体
２  通電コード
２１、２２、２３  通電コード中のライン
Ｇ１  照明灯
Ｇ２  フアン
Ｇ３  時計
１１  可撓性フィルム基板
１１１  基板本体
１１１ａ  基板本体の舌片取り囲み矩形域
１１２  舌片
１１２ｆ  舌片自由端部
ｆ１  第１部位
ｆ２  第２部位
１１２’  舌片片持ち支持端部
Ｌ  連続配線
ｉｋ  インキ
Ｆ１  導電性膜
Ｆ２  電気絶縁性膜
Ｆ３  両面接着剤層
Ｓ１  剥離シート
１２  コネクタ保持部
１２１  舌片接続用コネクタ
１２１’舌片自由端部差し込み口
Ｆ４  両面接着剤層
ＬＥＤ、ＬＥＤ１、ＬＥＤ２、ＬＥＤ３  発光ダイオード
ＰＷ  電源
Ｃｏｎｔ  コントローラ
Ｔｒ１  ＰＮＰ型トランジスタ
Ｔｒ２〜Ｔｒ７  ＮＰＮ型トランジスタ
Ｅ  トランジスタのエミッタ
Ｃ  トランジスタのコレクタ
Ｂ  トランジスタのベース
Ｒ１、Ｒ２  抵抗
【図１】
2011022719.tif 000003
【図２】
2011022719.tif 000004
【図３】
2011022719.tif 000005
【図４】
2011022719.tif 000006
【図５】
2011022719.tif 000007
【図６】
2011022719.tif 000008
【図７】
2011022719.tif 000009